(57)【特許請求の範囲】
【請求項１】
一辺に延設された耳部を備えた光学特性を有するシートと、
このシートの周縁部に沿って配置された枠部を備えた枠体と、
前記シートを前記枠体に保持させるべく前記耳部を前記枠体に貼着する貼着手段と
を具備したことを特徴とするシート保持装置。
【請求項２】
互いに積層される複数のシートを備え、
各シートの耳部は、互いに位置をずらして配置され、それぞれ貼着手段を用いて枠体に貼着された
ことを特徴とする請求項１記載のシート保持装置。
【発明の詳細な説明】
【０００１】
【発明の属する技術分野】
本発明は、所定の光学特性を有したシートを備えたシート保持装置に関する。
【０００２】
【従来の技術】
従来、所定の光学特性を有したシートを備えたシート保持装置が用いられている。そして、このシート保持装置では、シートの周縁部に沿った枠状をなす枠部と、この枠部の各辺に取り付けられる押さえ部材となるサイドカバーとを備え、これら枠部とサイドカバーとの間に、シートの相対向する２辺を挟持して支持し、枠体にシートを取り付けている。
【０００３】
【発明が解決しようとする課題】
しかしながら、上記従来のように、シートの相対向する２辺をサイドカバーを用いて押さえる構成では、シートを正確に位置決めし、枠体に沿って張り詰めた状態で保持しないと、シートにうねりが生じ、光学特性が低下するとともに、シートの交換作業はシートを傷付けやすい煩雑な作業となり、さらに、部品点数の削減が困難で製造コストの低減が困難である問題を有している。
【０００４】
本発明は、このような点に鑑みなされたもので、シートを枠体に容易に保持できるシート保持装置を提供することを目的とする。
【０００５】
【課題を解決するための手段】
本発明のシート保持装置は、一辺に延設された耳部を備えた光学特性を有するシートと、このシートの周縁部に沿って配置された枠部を備えた枠体と、前記シートを前記枠体に保持させるべく前記耳部を前記枠体に貼着する貼着手段とを具備したものである。そして、この構成により、部品点数が削減されるとともに、シートをうねることなく枠体に沿って容易に配置でき、シートの交換作業も容易になる。
【０００６】
また、互いに積層される複数のシートを備え、各シートの耳部は、互いに位置をずらして配置され、それぞれ貼着手段を用いて枠体に貼着された構成により、貼着手段を設けた部分の厚さ寸法の増加が抑制されるとともに、各シート同士の間に入った異物の除去も容易になる。
【０００７】
【発明の実施の形態】
以下、本発明のシート保持装置の一実施の形態を図面を参照して説明する。
【０００８】
図２および図３において、１は液晶表示装置で、この液晶表示装置１は、画像を表示する表示手段である液晶パネル２、照明装置であるバックライト装置３、および回路基板４などを組み合わせて構成されている。なお、以下、液晶パネル２の表示面側（正面側）を上側として説明する。
【０００９】
そして、液晶パネル２は、液晶セル、液晶表示素子あるいはこれ自体が液晶表示装置などとも呼ばれるもので、ＴＦＴトランジスタを設けたアレイ基板（ＴＦＴ）６と、このアレイ基板６の上側に対向して設けられたカラーフィルタ基板（ＣＦ、対向基板）７とを備え、これら透光性を有する基板６，７間に液晶が注入されている。さらに、この液晶パネル２に回路基板４が電気的に接続され、この回路基板４により液晶パネル２が駆動され、画像の表示を行うようになっている。
【００１０】
また、図１ないし図３に示すように、バックライト装置３は、合成樹脂（プラスチック）などにて一体に成型された枠体としてのプラフレーム11を備え、このプラフレーム11の上側に、順次、反射シート12、導光体14、シートとしての拡散シート15、シートとしての第１プリズムシート16、シートとしての第２プリズムシート17を積層し、さらに、導光体14の一側部に位置して、光源となるランプ18、ランプリフレクタ19、およびランプカバー20を取り付けている。
【００１１】
そして、プラフレーム11は、プラスチックモールドなどとも呼ばれるもので、略四角枠状をなす枠部22が形成されているとともに、この枠部22の内側に位置して回路基板取付部23が形成され、さらに、枠部22の外側の四隅の近傍に位置して、それぞれねじ止め部24が形成されている。また、枠部22の内周部は、上側に向かって拡開するように階段状に形成され、図３に示すように、導光体受面部22a 、シート受面部22b 、および液晶パネル受面部22c が設けられている。
【００１２】
そして、このプラフレーム11の導光体受面部22a の上側には、上面を反射面とする反射シート12が配置されて、両面テープ25を用いて接着され、さらに、この反射シート12の上側に、導光体14が配置されている。そして、この導光体14は、導光板とも呼ばれるもので、上面が水平状の発光面であるのに対して、下面が傾斜面となり、一側の端部から他側の端部に向かって厚さ寸法が次第に薄くなる略楔形に形成されている。
【００１３】
また、この導光体14の一側の端部に沿って、ランプ18が配置されるとともに、このランプ18を覆うようにして、導光体14側を照射開口とするランプリフレクタ19が取り付けられ、さらに、これらランプ18およびランプリフレクタ19を覆い、、ねじ止め部24にねじ止めされるねじ26にてランプカバー20が固定されている。そして、ランプ18は、蛍光ランプである細径の冷陰極管で、一端部にリード線18a を介して端子部18b が接続され、また、両端部にシリコーン系のゴムホルダが備えられている。そして、このランプ18から照射される光線が、導光体14の内部で反射を繰り返した上、上面から上方に出射されるようになっている。
【００１４】
そして、この導光体14の上面に沿って、拡散シート15、第１プリズムシート16、および第２プリズムシート17が順次積層されている。そして、これらシート15，16，17は、それぞれ平面矩形状をなすシート本体15a ，16a ，17a と、このシート本体15a ，16a ，17a のそれぞれ一辺のみの一部から延設された耳部15b ，16b ，17b とが一体に形成されている。そして、これらシート本体15a ，16a ，17a は、それぞれ所定の光学特性を有し、すなわち、拡散シート15は、ウェーブシートなどとも呼ばれるもので、例えば乳白色などをなして、入射した光線をほぼ均等に拡散させる。また、第１および第２のプリズムシート16，17は、例えば、ポリカーボネートなどのプラスチックフィルムの上面全面に、頂角が９０度〜１００度の微小なプリズムを数十〜数百μｍピッチで形成したもので、下面すなわち平面側から入射した光を屈折し、プラスマイナス４０度の狭い拡散光として上方に出射し、上面すなわち正面から見た場合の輝度を向上するようになっている。そして、これら第１プリズムシート16のシート本体16a と、第２プリズムシート17のシート本体17a とでは、プリズムの長手方向が互いに直交するように、すなわち縦縞と横縞となるように配置されている。
【００１５】
さらに、図４などに示すように、これらシート15，16，17の耳部15b ，16b ，17b は、互いに上下に重ならないように、水平方向に位置をずらして形成されている。すなわち、拡散シート15の耳部15b は、一端部の中央部から延設されているとともに、第１プリズムシート16の耳部16b は、他端部の一側部から延設され、さらに、第２プリズムシート17の耳部17b は、他端部の中央部から延設されている。そして、これら耳部15b ，16b ，17b は、それぞれ貼着手段としての両面テープ31，32，33を用いて、プラフレーム11の枠部22のシート受面部22b 上に接着されている。
【００１６】
そして、これらシート15，16，17の上側に必要に応じて保護シートを配置した上で、図２および図３に示すように、シート15，16，17の上側に位置して、枠部22の液晶パネル受面部22c 上に液晶パネル２を配置し、さらに、回路基板取付部23の下側に回路基板４を配置して、ねじ26などにて固定することにより、液晶表示装置１が組み立てられている。そして、この状態で、各シート15，16，17は、導光体14の上面の発光面と液晶パネル２の下面との間に挟持されるようにして保持されている。
【００１７】
そして、この実施の形態では、ランプ18を点灯させることにより、導光体14の発光面が面状に発光し、拡散シート15でさらに拡散された上、第１および第２のプリズムシート16，17で照射方向が調整され、液晶パネル２が背面から照明されるようになっている。
【００１８】
また、この液晶表示装置１の所定の位置には、廃棄方法などを示す廃棄ラベル35が貼付されている。
【００１９】
そして、本実施の形態によれば、バックライト装置３に備えられる、それぞれ所定の光学特性を有するシート15，16，17の押さえ方法について、各シート15，16，17のシート本体15a ，16a ，17a の一辺に耳部15b ，16b ，17b を設け、この耳部15b ，16b ，17b を両面テープ31，32，33を用いてプラフレーム11に固定している。そこで、各シート15，16，17は、１辺のみが固定されるため、複数の辺を固定する構造で、特に、いわゆる信頼性試験などの際に生じやすいうねり（しわ）の発生を抑制し、各シート15，16，17を導光体14に沿って容易に平滑に配置することができる。そこで、各シート15，16，17のうねりによって生じる輝度むらを抑制し、光学特性の信頼性を向上することができる。
【００２０】
また、本実施の形態によれば、各シート15，16，17は、１辺のみが固定されるため、各シート15，16，17間に入った異物（ごみ）の除去が容易になるとともに、各シート15，16，17の交換も容易になり、サイドカバーなどを用いてシートを固定する構成に比べて、シート15，16，17の交換時にこれらシート15，16，17を傷付けることを抑制することができ、傷付きやすいプリズムシート16，17のメンテナンスを容易にすることができる。
【００２１】
さらに、本実施の形態によれば、サイドカバーなどを用いてシートを固定する構成に比べて、部品点数を削減し、製造コストを低減することができる。
【００２２】
また、各シート15，16，17の耳部15b ，16b ，17b は、水平方向に位置をずらして形成し、互いに上下に重ならないようにしたため、耳部15b ，16b ，17b と両面テープ31，32，33とが積層されることがなく、この耳部15b ，16b ，17b の部分のみの厚さ寸法が大きくなることを抑制して、厚さ寸法を均一化することができる。
【００２３】
なお、上記の実施の形態では、貼着手段として、両面テープ31，32，33を用いたが、例えば、接着剤を用いたのり部として形成することもできる。
【００２４】
また、上記の実施の形態では、シートとして、１枚の拡散シート15と２枚のプリズムシート16，17とを積層したが、シートは種々の構成を採ることが可能であり、種々の光学特性を有したシートを用いて、１枚のみ、あるいは２枚以上のシートを積層して用いることができる。
【００２５】
さらに、上記の実施の形態では、導光体14の一辺に沿ってランプ18を配置した構成について説明したが、例えば、導光体14の二辺に沿ってランプ18を配置することもできる。
【００２６】
【発明の効果】
本発明のシート保持装置によれば、シートの一辺から耳部を延設し、貼着手段を用いてこの耳部を枠体に貼着したため、部品点数を削減し、製造コストを低減できるとともに、シートをうねることなく枠体に沿って容易に配置でき光学特性を向上でき、さらに、シートの交換作業も容易にすることができる。
また、互いに積層される複数のシートを備え、各シートの耳部を、互いに位置をずらして配置し、それぞれ貼着手段を用いて枠体に貼着する構成により、貼着手段を設けた部分の厚さ寸法の増加を抑制でき、積層したシートの厚さの均一化を図ることができるとともに、各シート同士の間に入った異物を容易に除去することができる。
【図面の簡単な説明】
【図１】  本発明のシート保持装置の一実施の形態を示すシート保持装置を備えたバックライト装置の分解斜視図である。
【図２】  同上シート保持装置を備えた液晶表示装置の概略を示す断面図である。
【図３】  同上図２の一部を拡大した断面図である。
【図４】  同上シート保持装置の平面図である。
【符号の説明】
11    枠体としてのプラフレーム
15    シートとしての拡散シート
16    シートとしての第１プリズムシート
17    シートとしての第２プリズムシート
15b ，16b ，17b    耳部
22    枠部
31，32，33    貼着手段としての両面テープ
【図１】
0003889090.tif 000002
【図２】
0003889090.tif 000003
【図３】
0003889090.tif 000004
【図４】
0003889090.tif 000005